(57)【要約】【課題】良好な撮像品質を確保しつつ薄型化を実現したカメラモジュール等を提供する。【解決手段】カメラモジュール１は、入射光を集光するレンズユニット２と、レンズユニット２から出射される光を受けて電気信号に変換して出力する撮像素子と、レンズユニット２を保持する円筒部３ａと撮像素子を収納する矩形部３ｂとを備えた台座３と、撮像素子にて出力される電気信号を外部へ出力する接続コネクタ１４と、台座３と接続コネクタ１４とが接着され、撮像素子にて出力される電気信号を接続コネクタ１４へ中継するフレキシブルプリント基板１１と、フレキシブルプリント基板１１における台座３の接着面とは反対側の面に接着される第１の補強板１２と、第１の補強板１２から所定距離だけ離間して接着される第２の補強板１３とを有する。【選択図】図２
2008306350.tif 000002
【特許請求の範囲】
【請求項１】
入射光を集光するレンズと、
前記レンズから出射される光を受けて電気信号に変換して出力する撮像素子と、
前記レンズを直接又は間接に保持するレンズ保持部と、前記撮像素子を収納する撮像素子収納部とを備えた台座マウントと、
前記撮像素子にて出力される電気信号を外部へ出力する接続コネクタと、
前記台座マウントと前記接続コネクタとが接着され、前記撮像素子にて出力される電気信号を当該接続コネクタへ中継するフレキシブルプリント基板と、
前記フレキシブルプリント基板における前記台座マウントの接着面とは反対側の面に接着され、当該フレキシブルプリント基板における当該台座マウントの当該接着面を補強する第１の補強板と、
前記フレキシブルプリント基板における前記接続コネクタの接着面とは反対側の面に前記第１の補強板から所定距離だけ離間して接着され、当該フレキシブルプリント基板における当該接続コネクタの当該接着面を補強する第２の補強板と
を有することを特徴とするカメラモジュール。
【請求項２】
前記第２の補強板は、前記第１の補強板から２ｍｍ以上離間して接着されていることを特徴とする請求項１に記載のカメラモジュール。
【請求項３】
前記第１の補強板及び前記第２の補強板のうち少なくともいずれか一方は、前記フレキシブルプリント基板と同じ材質で構成されることを特徴とする請求項１に記載のカメラモジュール。
【請求項４】
前記フレキシブルプリント基板は、ポリイミド材で構成されることを特徴とする請求項３に記載のカメラモジュール。
【請求項５】
前記第１の補強板は、前記撮像素子にて電気信号に変換される波長の光に対して遮光性を有していることを特徴とする請求項１に記載のカメラモジュール。
【請求項６】
入射光を集光するレンズと、
前記レンズから出射される光を受けて電気信号に変換して出力する撮像素子と、
前記レンズを直接又は間接に保持するレンズ保持部と、前記撮像素子を収納する撮像素子収納部とを備えた台座マウントと、
前記撮像素子にて出力される電気信号を外部へ出力する接続コネクタと、
前記台座マウントと前記接続コネクタとが同じ側の面に接着され、当該台座マウント又は当該接続コネクタが接着された領域に比べ曲げに対して弱い領域を有し、前記撮像素子にて出力される電気信号を当該接続コネクタへ中継するフレキシブルプリント基板と
を有し、
前記台座マウントと前記接続コネクタはいずれも、前記フレキシブルプリント基板における前記曲げに対して強い領域に接着されていることを特徴とするカメラモジュール。
【請求項７】
前記フレキシブルプリント基板は、当該フレキシブルプリント基板における前記台座マウントが接着された前記領域と前記接続コネクタが接着された前記領域との間に、前記曲げに対して弱い領域を有していることを特徴とする請求項６に記載のカメラモジュール。
【請求項８】
入射光を集光するレンズと、
前記レンズから出射される光を受けて電気信号に変換して出力する撮像素子と、
前記レンズを直接又は間接に保持するレンズ保持部と、前記撮像素子を収納する撮像素子収納部とを備えた台座マウントと、
前記撮像素子にて出力される電気信号を出力する接続コネクタと、
前記台座マウントと前記接続コネクタとが接着され、前記撮像素子にて出力される電気信号を当該接続コネクタへ中継するフレキシブルプリント基板と、
前記接続コネクタに接続され、当該接続コネクタにて出力される電気信号に基づいて画像処理をする画像処理部と、
前記フレキシブルプリント基板における前記台座マウントの接着面とは反対側の面に接着され、当該フレキシブルプリント基板を補強する第１の補強板と、
前記フレキシブルプリント基板における前記接続コネクタの接着面とは反対側の面に前記第１の補強板から所定距離だけ離間して接着され、当該フレキシブルプリント基板を補強する第２の補強板と
を有することを特徴とする撮像装置。
【発明の詳細な説明】
【技術分野】
【０００１】
本発明は、例えば携帯型電子機器等に搭載されるカメラモジュール等に関する。
【背景技術】
【０００２】
撮像機能を備えた携帯電話機器等の携帯型電子情報端末装置では、撮像装置の組み立て作業性その他の観点から、カメラモジュールを接着したフレキシブルプリント配線板を電子情報機器に組み込むことが行われている。近年の電子情報機器の小型化、薄型化の要請に応じて、電子情報機器に搭載される各種の構成部品も小型化、薄型化が要請されている。
【０００３】
ここで、フレキシブルプリント配線板を備えたカメラモジュールに関する公報開示の技術として、例えば、以下に説明する文献が存在する。
特許文献１に開示の技術は、カメラモジュールとフレキシブルプリント配線板との間に、接続ランド部と称する部品を配することにより、接着強度の向上と、はんだ付けによる接続の信頼性向上を図っている。
また、特許文献２に開示の技術は、カメラモジュールが接着されたフレキシブルプリント配線板において、カメラモジュールが接着された接着面とは反対側の面に、カメラモジュールの接着面と同じ大きさの押え板を接着して、強度を確保している。
【０００４】
【特許文献１】特開２００６−２２９５３４号公報
【特許文献２】特開２００７−２８０６９号公報
【発明の開示】
【発明が解決しようとする課題】
【０００５】
ところで、カメラモジュールが接着されたフレキシブルプリント配線板を薄型化すれば、フレキシブルプリント基板の剛性が少なくなる。よって、フレキシブルプリント基板の変形を抑えて、接着面の接着強度を確保・維持して接着状態を安定化させる必要がある。また、フレキシブルプリント配線板の薄型化に伴い、撮像素子背面からフレキシブルプリント基板を透過する光が増えるので、撮像品質に悪影響を与える恐れもある。
本発明が解決しようとする課題は、良好な撮像品質を確保しつつ薄型化を実現したカメラモジュール等を提供することにある。
【課題を解決するための手段】
【０００６】
上記課題を解決するために、本発明にかかるカメラモジュールは、入射光を集光するレンズと、レンズから出射される光を受けて電気信号に変換して出力する撮像素子と、レンズを直接又は間接に保持するレンズ保持部と、撮像素子を収納する撮像素子収納部とを備えた台座マウントと、撮像素子にて出力される電気信号を外部へ出力する接続コネクタと、台座マウントと接続コネクタとが接着され、撮像素子にて出力される電気信号を接続コネクタへ中継するフレキシブルプリント基板と、フレキシブルプリント基板における台座マウントの接着面とは反対側の面に接着され、フレキシブルプリント基板における台座マウントの接着面を補強する第１の補強板と、フレキシブルプリント基板における接続コネクタの接着面とは反対側の面に第１の補強板から所定距離だけ離間して接着され、フレキシブルプリント基板における接続コネクタの接着面を補強する第２の補強板とを有することを特徴とする。
【０００７】
上記カメラモジュールにおいて、第２の補強板は、第１の補強板から２ｍｍ以上離間して接着されていることを特徴とする。
上記カメラモジュールにおいて、第１の補強板及び第２の補強板のうち少なくともいずれか一方は、フレキシブルプリント基板と同じ材質で構成されることを特徴とする。
上記カメラモジュールにおいて、フレキシブルプリント基板は、ポリイミド材で構成されることを特徴とする。
上記カメラモジュールにおいて、第１の補強板は、撮像素子にて電気信号に変換される波長の光に対して遮光性を有していることを特徴とする。
【０００８】
上記課題を解決するために、本発明にかかるカメラモジュールは、入射光を集光するレンズと、レンズから出射される光を受けて電気信号に変換して出力する撮像素子と、レンズを直接又は間接に保持するレンズ保持部と、撮像素子を収納する撮像素子収納部とを備えた台座マウントと、撮像素子にて出力される電気信号を外部へ出力する接続コネクタと、台座マウントと接続コネクタとが同じ側の面に接着され、台座マウント又は接続コネクタが接着された領域に比べ曲げに対して弱い領域を有し、撮像素子にて出力される電気信号を接続コネクタへ中継するフレキシブルプリント基板とを有し、台座マウントと接続コネクタはいずれも、フレキシブルプリント基板における曲げに対して強い領域に接着されていることを特徴とする。
【０００９】
上記カメラモジュールにおいて、フレキシブルプリント基板は、フレキシブルプリント基板における台座マウントが接着された領域と接続コネクタが接着された領域との間に、曲げに対して弱い領域を有していることを特徴とする。
【００１０】
上記課題を解決するために、本発明にかかる撮像装置は、入射光を集光するレンズと、レンズから出射される光を受けて電気信号に変換して出力する撮像素子と、レンズを直接又は間接に保持するレンズ保持部と、撮像素子を収納する撮像素子収納部とを備えた台座マウントと、撮像素子にて出力される電気信号を出力する接続コネクタと、台座マウントと接続コネクタとが接着され、撮像素子にて出力される電気信号を接続コネクタへ中継するフレキシブルプリント基板と、接続コネクタに接続され、接続コネクタにて出力される電気信号に基づいて画像処理をする画像処理部と、フレキシブルプリント基板における台座マウントの接着面とは反対側の面に接着され、フレキシブルプリント基板を補強する第１の補強板と、フレキシブルプリント基板における接続コネクタの接着面とは反対側の面に第１の補強板から所定距離だけ離間して接着され、フレキシブルプリント基板を補強する第２の補強板とを有することを特徴とする。
【発明の効果】
【００１１】
本発明によれば、良好な撮像品質を確保しつつ薄型化を実現したカメラモジュール等を提供できる。
【発明を実施するための最良の形態】
【００１２】
以下、添付図面を参照して、本発明を実施するための最良の形態（実施の形態）について詳細に説明する。
図１は、本実施の形態にかかるカメラモジュール１を示す外観斜視図であり、図２は、図１に示すカメラモジュール１の分解斜視図である。
図１に示されているように、カメラモジュール１は、入射光を集光するレンズ（図３参照）を保持し、入射光をセンサ９（図３参照）上に結像するレンズユニット２と、レンズユニット２を保持する台座マウントの一例としての台座３とを備えている。そして、カメラモジュール１は、フレキシブルプリント基板１１上に台座３が接着されている。また、カメラモジュール１は、フレキシブルプリント基板１１上に、接続コネクタ１４と、コンデンサ等の周辺部品１５とが配されて接続されている。更に、カメラモジュール１は、フレキシブルプリント基板１１の裏面には、第１の補強板１２と第２の補強板１３とが接着されている。
【００１３】
第１の補強板１２は台座３の接着領域の反対側の面に接着され、第２の補強板１３は接続コネクタ１４の接着領域の反対側の面に接着されている。そして、第１の補強板１２と第２の補強板１３との離間距離は、フレキシブルプリント基板１１の可撓性を確保する観点から、例えば、２ｍｍ以上あれば足りる。
ここで、第１の補強板１２又は第２の補強板１３が接着されたフレキシブルプリント基板１１の領域は曲げに対して強い領域を形成している。そして、フレキシブルプリント基板１１における第１の補強板１２と第２の補強板１３とが接着された２つの領域の間の領域が、第１の補強板１２と第２の補強板１３とが接着された２つの領域に比べて曲げに対して弱い領域を形成している。
【００１４】
図２に示されているように、台座３は、レンズユニット２が取り付けられてレンズユニット２を保持するレンズ保持部の一例としての円筒部３ａと、センサ９を搭載した方形のガラスカバー１０を収容保持する撮像素子収納部の一例としての矩形部３ｂとが一体成形により形成されている。
尚、図１及び図２では、台座３と接続コネクタ１４とがフレキシブルプリント基板１１の同じ側の面に接着された例を説明しているが、本発明はこれに限定されるものではない。台座３と接続コネクタ１４とが互いにフレキシブルプリント基板１１の反対側の面に接着されていてもよい。
【００１５】
図３は、図１の一点鎖線Ｘ−Ｘ’の位置におけるカメラモジュール１の縦断面図である。
図３に示されているように、レンズユニット２は、レンズユニット２の本体を構成するバレル２ａと、バレル２ａに保持される２枚のレンズ４，６とを有する。バレル２ａの端面には開口部２ｂが形成されている。２枚のレンズ４，６の間に中間環５が配されている。
レンズ６は、レンズ押さえ７によって押さえられている。バレル２ａは、外周面に雄ねじ２ｃが形成されている。尚、本実施の形態では、レンズユニット２は２枚のレンズ４，６で構成されているが、レンズは１枚或いは３枚であっても良い。また、レンズ４，６は、レンズユニット２を介することなく台座３の円筒部３ａ（後述）に直接固定するようにしても良い。
【００１６】
台座３は、レンズユニット２が取り付けられてレンズユニット２を保持する円筒部３ａと、フィルタ８とセンサ９とガラスカバー１０とを収容保持する矩形部３ｂとを有している。円筒部３ａの内周面には、雌ねじ３ｃが形成されている。そして、バレル２ａの外周面に形成された雄ねじ２ｃが雌ねじ３ｃに螺合されて、バレル２ａが台座３に取り付けられる。また、台座３は、内面から延びて内部空間を狭めるように形成されたフランジ部３ｄを有する。台座３は、フランジ部３ｄに穿った孔を通じて、円筒部３ａの内部空間と矩形部３ｂの内部空間とが連続している。
バレル２ａ及び台座３は、例えば、黒色の液体ポリマー（ＬＣＰ）、ポリフタルアミド樹脂、ＰＥＥＫ（ポリエーテルエーテルケトン）樹脂等の遮光性を有する合成樹脂により構成される。また、バレル２ａ及び台座３は、例えば、黒色のポリカーボネート樹脂、ポリブチレンテレフタレート等の遮光性のある合成樹脂により構成されても良い。
【００１７】
レンズ４，６は、外部から入射される入射光をを透過してセンサ９（後述）の撮像領域（受光エリア）に結像させるための光学素子である。即ち、開口部２ｂから入射した外光がレンズ４，６によって結像されてセンサ９の撮像領域に入射するように所定の光学系を形成している。レンズ４，６は、光学的に透明であることが必要なため、例えば、ポリカーボネート樹脂やオレフィン系の材料、シリコン系樹脂等の剛性樹脂やガラスにより構成されることが望ましい。
中間環５は、例えば、カーボンブラックを練り込んだ延伸ポリエステル（ＰＥＴ）等の合成樹脂フィルム、又は、黒色塗料を焼き付けたＳＵＳ３０４等の薄板で構成される。中間環５は、その厚みによって２つのレンズ４，６の面間距離を一定に保つと共に、中央に穿った孔により通過光量を制限する絞り機能を有している。即ち、中間環５は、光学系の開口径を決定する光学絞り、或いは、ゴースト、フレア等の不要光を遮光する遮光絞りとして使われる。
【００１８】
レンズ押さえ７は、例えば、ポリカーボネート樹脂とガラス繊維とカーボンブラック等の黒色顔料の混合物から構成されている。レンズ押さえ７は、バレル２ａの内側面に接着されてレンズ６をバレル２ａ内の所定位置に保持している。
フィルタ８は、外光の特定の波長成分を除去するフィルム状の部材であり、本実施の形態では、赤外線除去フィルタ（ＩＲＣＦ：Infrared Cut Filter）を用いている。フィルタ８は、フランジ部３ｄに形成された搭載面に接着されている。フィルタ８が接着されると、台座３の内部空間が２つに仕切られる。このフィルタ８は、センサ９の近傍に配置されており、これにより、乱反射の影響を抑制している。
【００１９】
センサ９は、ＣＣＤ（Charge Coupled Device）やＣＭＯＳ（Complementary Metal Oxide Semiconductor）等の撮像素子（イメージセンサ）であり、本実施の形態では、ＣＳＰ（Chip Scale Package）構造を有するセンサを用いている。センサ９は、レンズユニット２を介して撮像領域に入射した光に応じて電気信号を生成し、出力する。
ガラスカバー１０は、フィルタ８とセンサ９との間に配置されている。ガラスカバー１０には、センサ９が撮像側の面をガラスカバー１０に向けた状態で取り付けられている。これにより、センサ９の撮像領域に埃等が直接落ちることを防いでいる。
ガラスカバー１０は、出射面（図３における下側面）側に、図示しない配線パターンが予め設けられている。そして、この配線パターンの電極とセンサ９とをつなぐように複数の半田バンプ１６が位置している。このように、電極の位置に取り付けられた半田バンプ１６により、センサ９は、ガラスカバー１０に固定されると共に、ガラスカバー１０の電極と電気的に接続されている。
【００２０】
ここで、センサ９とガラスカバー１０との離間距離は、半田バンプ１６の大きさによって決定される。半田バンプ１６の大きさを制御することは容易であることから、センサ９とガラスカバー１０との離間距離を正確に管理することが可能である。
ガラスカバー１０の出射面側の電極の別の位置には、半田バンプ１７が配置されている。この半田バンプ１７により、ガラスカバー１０とフレキシブルプリント基板１１の間の電気的な接続が確保される。この半田バンプ１７は、ガラスカバー１０に固定されているセンサ９とフレキシブルプリント基板１１とが互いに離間するためのスペーサとしても用いられる。尚、ガラスカバー１０を用いることなく、図示しない回路基板にセンサ９を直接固定しても良い。
【００２１】
フレキシブルプリント基板１１は、例えば、ポリイミド等の絶縁性薄膜に銅等の導体箔を形成し、更に絶縁体を被せて保護した回路基板である。フレキシブルプリント基板１１は、小さい力で繰り返し変形させることが可能であり、変形した場合にもその電気的特性を維持する。本施の形態に使用するフレキシブルプリント基板１１は、厚さが約０．１ｍｍである。
第１の補強板１２は、例えば、ポリイミド等の薄膜材料で構成され、厚さは約０．１ｍｍである。第２の補強板１３（図２参照）も、第１の補強板１２と同様の材料で構成される。
【００２２】
ここで、従来のカメラモジュール１０１と比較して、本実施の形態にかかるカメラモジュール１の効果を以下に説明する。
図４及び図５は、従来のカメラモジュール１０１を示す図である。図４は、カメラモジュール１０１の外観斜視図であり、図５は、カメラモジュール１０１の分解斜視図である。
図４に示されているように、カメラモジュール１０１は、入射光を集光するレンズを保持し、入射光をセンサ上に結像するレンズユニット１０２と、レンズユニット１０２を保持する台座１０３とを備えていた。台座１０３は、レンズユニット１０２を保持する円筒部１０３ａと、ガラスカバー１１０を収容保持する矩形部１０３ｂとを有していた。
カメラモジュール１０１は、センサを搭載したガラスカバー１１０を実装基板１２０に半田実装していた。実装基板１２０は、ガラスエポキシ材料等で構成されていた。
【００２３】
図５に示されているように、台座１０３は、ガラスカバー１１０を収納保持して、実装基板１２０に接着されていた。そして、実装基板１２０は、フレキシブルプリント基板１１１に接続していた。また、フレキシブルプリント基板１１１上には、接続コネクタ１１４と、コンデンサ等の周辺部品１１５とが配されて接続されていた。更に、カメラモジュール１０１は、フレキシブルプリント基板１１１の裏面に、補強板１１３が接着されていた。
図４及び図５に示されている従来のカメラモジュール１０１は、実装基板１２０を有している点と、フレキシブルプリント基板１１１の実装基板１２０とは反対の面に補強板を有していない点で、図１に示す本実施の形態にかかるカメラモジュール１と相違していた。
カメラモジュール１０１の高さは、台座１０３の高さに、実装基板１２０の高さ（厚さ）とフレキシブルプリント基板１１１の厚さとが加算されて決定される。例えば、実装基板１２０の厚さが約０．５ｍｍで、フレキシブルプリント基板１１１の厚さが約０．２ｍｍであるとき、この合計値である約０．７ｍｍが台座１０３の厚さ（高さ）に加算されて、カメラモジュール１０１の高さとなる。
【００２４】
カメラモジュール１に説明を戻す。図１乃至図３に示されているように、本実施の形態によれば、フレキシブルプリント基板１１に台座３を接続する場合に、カメラモジュール１は、図４及び図５に示した実装基板１２０を有しておらず、その代わりに、台座３の接着面と反対側の面に第１の補強板１２を有している。よって、カメラモジュール１の高さは、約０．５ｍｍ厚の実装基板１２０の代わりに、約０．１ｍｍ厚の第１の補強板１２が接着されているので、カメラモジュール１０１に比して約０．４ｍｍ薄くすることができる。
【００２５】
本実施の形態によれば、第１の補強板１２と第２の補強板１３とは離間しており、離間距離は２ｍｍ以上ある。ポリイミド材の可撓性を利用して、この離間部分でフレキシブルプリント基板１１を曲げることができる。
カメラモジュール１では、台座３との接着部分や周辺部品１５の搭載部分、接続コネクタ１４との接着部分など、ある程度の剛性を必要とする領域には第１の補強板１２又は第２の補強板１３を接着し、第１の補強板１２と第２の補強板１３との間に離間領域を設けているので、フレキシブルプリント基板１１を曲げるとき、第１の補強板１２又は第２の補強板１３が接着された領域ではなく、離間部分が曲げられる。よって、フレキシブルプリント基板１１の曲げによって台座３や周辺部品１５、接続コネクタ１４がフレキシブルプリント基板１１から剥離することは無い。
【００２６】
センサ９が収納された矩形部３ｂが接着された領域は、フレキシブルプリント基板１１の裏面から第１の補強板１２が接着されている。よって、第１の補強板１２によりフレキシブルプリント基板１１を透過して漏れ入ってくる迷光を遮断する。これにより、フレキシブルプリント基板１１の厚さを、従来例の約０．２ｍｍ厚から、例えば、約０．１ｍｍ厚のものへと変更できる。よって、裏面からの迷光の映り込みを防いで良好な撮像品質を維持しつつ、カメラモジュール１の高さを更に薄くできる。
【００２７】
（撮像装置）
続いて、上記カメラモジュール１を搭載した撮像装置３０を説明する。尚、カメラモジュール１は、撮像装置３０の他に、例えば、携帯電話機やパーソナルコンピュータ、ＰＤＡ（Personal Digital Assistant）に搭載されるカメラ、自動車に搭載されるカメラ又は監視カメラ等にも適用することが可能である。
図６は、撮像装置３０の構成を示したブロック図である。
【００２８】
図６に示すように、撮像装置３０は、カメラモジュール１からの画像信号に対して画像処理を行う画像処理部の一例としての画像処理プロセッサ２０１と、撮像装置３０における各種制御を行うＭＰＵ（Micro Processing Unit）２０２と、このＭＰＵ２０２にユーザからの指示を与えるための入力キー２０３とを備えている。また、撮像装置３０は、カメラモジュール１により撮影された被写体を映し出す液晶ディスプレイ（ＬＣＤ）２０４を備えている。また、撮像装置３０は、撮像装置３０を制御するための各種情報等を記憶するメモリ２０５と、画像データを記録するメモリカード２０６とを備えている。
撮像装置３０では、入力キー２０３においてデジタルカメラ使用モードが選択されると、ＭＰＵ２０２はカメラモジュール１との通信を開始する。そして、ＭＰＵ２０２はカメラモジュール１に制御信号を送信する。被写体からの光は、カメラモジュール１のセンサ９によって電気信号に変換され、画像処理プロセッサ２０１で信号処理が施される。画像処理プロセッサ２０１で信号処理された画像信号は、撮像装置３０のメモリ２０５に一時的に保存され、ＬＣＤ２０４にスルー画として表示される。
【００２９】
被写体の撮影は、入力キー２０３にあるシャッタボタンで行われる。シャッタボタンを押すと、ＭＰＵ２０２は、画像処理プロセッサ２０１で処理された画像データをメモリ２０５に保存する。ＭＰＵ２０２には、ＪＰＥＧやＭＰＥＧ等の手法による圧縮解凍回路が含まれており、メモリ２０５に保存された画像データは、ＭＰＵ２０２により圧縮処理されてメモリカード２０６に記録される。また、メモリカード２０６に記録された画像データをＭＰＵ２０２によって解凍してメモリ２０５に読み込み、ＬＣＤ２０４に再度表示させることも可能である。
なお、ＭＰＵ２０２では、入力キー２０３からの操作により、撮影モードの選択やホワイトバランスや露出、感度等の設定が可能である。また、画像処理プロセッサ２０１で処理された画像データをメモリ２０５に保存する際に、デジタルズーム処理を行うことも可能である。
【００３０】
このように、本実施の形態にかかる撮像装置３０では、カメラモジュール１を採用する。よって、撮像装置３０の薄型化が実現できる。また、カメラモジュール１の裏面にストロボ等の光源を配置しても、センサ９への迷光を遮断するので、良好な撮像品質を確保できる。
【図面の簡単な説明】
【００３１】
【図１】本実施の形態にかかるカメラモジュールの外観斜視図である。
【図２】図１に示すカメラモジュールの分解斜観図である。
【図３】図１に示す一点鎖線の位置におけるカメラモジュールの縦断面図ある。
【図４】従来のカメラモジュールの外観斜視図である。
【図５】図４に示すカメラモジュールの分解斜視図である。
【図６】図１に示すカメラモジュールを採用した撮像装置のブロック図である。
【符号の説明】
【００３２】
１…カメラモジュール（カメラモジュール）、２…レンズユニット、３…台座（台座マウント）、３ａ…円筒部（レンズ保持部）、３ｂ…矩形部（撮像素子収納部）、４，６…レンズ、９…センサ（撮像素子）、１０…ガラスカバー（透過部材）、１１…フレキシブルプリント基板、１２…第１の補強板、１３…第２の補強板、１４…接続コネクタ、３０…撮像装置、２０１…画像処理プロセッサ（画像処理部）
【図１】
2008306350.tif 000003
【図２】
2008306350.tif 000004
【図３】
2008306350.tif 000005
【図４】
2008306350.tif 000006
【図５】
2008306350.tif 000007
【図６】
2008306350.tif 000008